(57)【要約】      （修正有）【課題】内容物を取り出し易いフラップ付包装箱を提供する。【解決手段】筒状胴部２と、筒状胴部２の一方の開口端縁に設けられ開口端縁を開閉軸線Ｌ５，Ｌ６として開閉自在な複数のフラップ４，５と、を備えるフラップ付包装箱１であって、少なくとも１つのフラップ４，５と該フラップに接続される筒状胴部との間には、開閉軸線Ｌ５，Ｌ６を跨いでＵ字状に切り欠かれたＵ字状切込線が設けられ、Ｕ字状切込線によって切起し可能な切起し片９が形成され、切起し片９は、基端縁８を軸に先端を遥動可能に構成され、切起し片９の基端縁８は開閉軸線Ｌ５，Ｌ６に交わっている。【選択図】図１
0003215847.tif 000002
【実用新案登録請求の範囲】
【請求項１】
筒状胴部と、
前記筒状胴部の一方の開口端縁に設けられ該開口端縁を開閉軸線として開閉自在な複数のフラップと、
を備えるフラップ付包装箱であって、
少なくとも１つの前記フラップと該フラップに接続される前記筒状胴部との間には、前記開閉軸線を跨いでＵ字状に切り欠かれたＵ字状切込線が設けられ、
前記Ｕ字状切込線によって切起し可能な切起し片が形成され、
前記切起し片は、基端縁を軸に先端を遥動可能に構成され、
前記切起し片の基端縁は前記開閉軸線に交わっていることを特徴とするフラップ付包装箱。
【請求項２】
請求項１に記載のフラップ付包装箱であって、
前記筒状胴部及び前記フラップには、前記基端縁を軸に前記切起し片を屈曲させた状態で前記切起し片の先端を差込可能な差込孔が設けられていることを特徴とするフラップ付包装箱。
【請求項３】
請求項２に記載のフラップ付包装箱であって、
前記切起し片の先端は前記差込孔よりも幅広の楔部を備えることを特徴とするフラップ付包装箱。
【請求項４】
請求項１から請求項３の何れか１項に記載のフラップ付包装箱であって、
前記切起し片は、前記筒状胴部及び前記フラップに沿って折り返されるように屈曲されることを特徴とするフラップ付包装箱。
【考案の詳細な説明】
【技術分野】
【０００１】
本考案は、フラップを備えるフラップ付包装箱に関する。
【背景技術】
【０００２】
従来、４つの側板を備える有底角筒状の包装箱であって、上方開口縁に開閉自在な一対の内フラップと一対の外フラップとが設けられたフラップ付包装箱が知られている（例えば、特許文献１参照）。特許文献１のフラップ付包装箱では、内フラップにＬ字状の切込みを設けて切込みの内側を折り曲げることにより内フラップから起立する折曲片を形成し、この折曲片によって外フラップを開いたときに再び外フラップが閉じないように、外フラップを係止できるようにしている。
【先行技術文献】
【特許文献】
【０００３】
【特許文献１】実開平１−９６８２３号公報
【考案の概要】
【考案が解決しようとする課題】
【０００４】
特許文献１のフラップ付包装箱では、外フラップが折曲片で内側から支えられているだけであるため、フラップ付包装箱内から内容物を取り出すときに外フラップに接触すると外フラップが外側に開いて外フラップと折曲片との係止状態が解除され、外フラップが意図せずに閉じられてしまうという問題がある。従って、利用者は、内容物を取り出すときには、外フラップに接触ないように内容物を取り出す必要があり、面倒である。
【０００５】
本考案は、以上の点に鑑み、内容物を取り出し易いフラップ付包装箱を提供することを目的とする。
【課題を解決するための手段】
【０００６】
［１］上記目的を達成するため、本考案は、
筒状胴部と、
前記筒状胴部の一方の開口端縁に設けられ該開口端縁を開閉軸線として開閉自在な複数のフラップと、
を備えるフラップ付包装箱であって、
少なくとも１つの前記フラップと該フラップに接続される前記筒状胴部との間には、前記開閉軸線を跨いでＵ字状に切り欠かれたＵ字状切込線が設けられ、
前記Ｕ字状切込線によって切起し可能な切起し片が形成され、
前記切起し片は、基端縁を軸に先端を遥動可能に構成され、
前記切起し片の基端縁は前記開閉軸線に交わっていることを特徴とする。
【０００７】
本考案によれば、切起し片を遥動させて基端縁で屈曲させることにより、フラップが切起し片が邪魔して閉じることができなくなり、フラップが開いて起立した状態を維持することができる。従って、内容物を取り出すときにフラップに接触してもフラップが起立した状態を維持することができ、内容物を容易に取り出すことができる。
【０００８】
［２］また、本考案においては、前記筒状胴部及び前記フラップには、前記基端縁を軸に前記切起し片を屈曲させた状態で前記切起し片の先端を差込可能な差込孔が設けられていることが好ましい。
【０００９】
かかる構成よれば、切起し片の先端が差込孔に差し込まれるため、切起し片が自己の復元力などによって、屈曲させた状態が意図せずに解除されることを防止することができる。
【００１０】
［３］また、本考案においては、前記切起し片の先端は前記差込孔よりも幅広の楔部を備えることが好ましい。
【００１１】
かかる構成によれば、楔部によって、切起し片の先端が差込孔から脱落し難くすることができる。
【００１２】
［４］また、本考案においては、前記切起し片は、前記筒状胴部及び前記フラップに沿って折り返されるように屈曲されることが好ましい。かかる構成によれば、折り曲げられた切起し片に内容物などが接触し難くなり、内容物の出し入れが容易になるなど使い勝手が向上される。
【図面の簡単な説明】
【００１３】
【図１】本考案の実施形態のフラップ付包装箱を示す斜視図。
【図２】本実施形態のフラップ付包装箱を展開して示す説明図。
【考案を実施するための形態】
【００１４】
図を参照して、本考案の実施形態のフラップ付包装箱を説明する。図１に示すように、第１実施形態のフラップ付包装箱１は、横断面四角形状の筒状胴部２と、天板３の一部を構成する開閉自在な一対の天板内フラップ４と、天板３の残りの一部を構成する開閉自在な一対の天板外フラップ５と、底板６と、を備える。天板３を構成する天板内フラップ４と、天板外フラップ５とは、筒状胴部２に対して内側へ直角に折り曲げられることにより、筒状胴部２の上方の開口を閉塞することができる。
【００１５】
天板内フラップ４及び天板外フラップ５と筒状胴部２との間の部分には、折目線Ｌ５、Ｌ６に跨るように、左右に間隔を存して一対のＵ字状の切込線７が互いのＵ字状の底辺部分が向かい合うように（換言すれば、底辺部が内側を向くように）設けられている。本実施形態においては、切込線７が本発明のＵ字状切込線７に該当する。なお、本件で用いられる「Ｕ字状」とは、厳密な意味でのＵ字型のみならず、図１及び図２で示す凸字型や、その他にも、Ｖ字型、Ｃ字型、コ字型、などの中央部分が一方に向かって屈曲又は湾曲して延びる形状を含む概念として定義している。
【００１６】
また、天板内フラップ４及び天板外フラップ５と筒状胴部２との間の部分には、筒状胴部２と天板内フラップ４又は天板外フラップ５との間の折目線Ｌ５、Ｌ６に直交（略直交を含む）する方向に延びる折目線８が切込線７の両端を結ぶように設けられている。切込線７と折目線８とに画成される部分が本実施形態における切起し片９となる。
【００１７】
切起し片９は、基端縁としての折目線８から順に幅広部９ａ、幅広部９ａよりも幅の狭い幅狭部９ｂが連続して設けられている。幅狭部９ｂの両側縁には、先端に向かって次第に幅広となるように傾斜した楔部９ｃが設けられている。
【００１８】
筒状胴部２と天板内フラップ４又は天板外フラップ５との間の部分には、切起し片９が基端縁としての折目線８で折り曲げられて筒状胴部２と天板内フラップ４又は天板外フラップ５の外面又は内面に沿うように折り曲げられたときに切起し片９の先端を差込可能な差込孔１０が設けられている。差込孔１０は、楔部９ｃの最大幅よりも狭い幅に形成されている。差込孔１０は、Ｕ字状の切込線１０ａによって内側に画成される突片を折り曲げることにより開口する。
【００１９】
図２は、本実施形態のフラップ付包装箱１の展開図である。図２から明らかなように、本実施形態のフラップ付包装箱１は、段ボール原紙から打ち抜かれた１枚の板紙を折り曲げて組み立てられる。図２に示すように、本実施形態のフラップ付包装箱１は、矩形状の第１側板１１と、第１側板１１の一方の側縁に折目線Ｌ１を介して連設される矩形状の第２側板１２と、第２側板１２の一方の側縁に折目線Ｌ２を介して連設される矩形状の第３側板１３と、第３側板１３の一方の側縁に折目線Ｌ３を介して連設される矩形状の第４側板１４とを備える。
【００２０】
第４側板１４の一方の側縁には折目線Ｌ４を介して第１側板１１の他方の側縁部に接着される接着片１５が連設されている。第１側板１１、第２側板１２、第３側板１３、第４側板１４を夫々折目線Ｌ１〜Ｌ３で直角に折り曲げて接着片１５を第１側板１１の他方の側縁に接着することにより、本実施形態の筒状胴部２が構成される。
【００２１】
第１側板１１及び第３側板１３の上縁には、折目線Ｌ５を介して矩形状の天板内フラップ４が連設されている。第２側板１２及び第４側板１４の上縁には、折目線Ｌ６を介して矩形状の天板外フラップ５が連設されている。本実施形態においては、折目線Ｌ５、Ｌ６が天板内フラップ４及び天板外フラップ５の開閉軸線に該当する。第１側板１１及び第３側板１３の下縁には、折目線Ｌ７を介して矩形状の底板内フラップ１６が連設されている。第２側板１２及び第４側板１４の下縁には、折目線Ｌ８を介して矩形状の底板外フラップ１７が連設されている。
【００２２】
本実施形態の底板６は、筒状胴部２に対して、底板内フラップ１６を内側へ直角に折り曲げた後、底板内フラップ１６の外面に重ねるように、底板外フラップ１７を筒状胴部２に対して内側へ直角に折り曲げることによって構成される。
【００２３】
本実施形態のフラップ付包装箱１によれば、切起し片９を遥動させて基端縁としての折目線８で屈曲させることにより、切起し片９が邪魔して天板内フラップ４又は天板外フラップ５を閉じることができなくなり、天板内フラップ４又は天板外フラップ５が開いて起立した状態を維持することができる。従って、内容物を取り出すときに天板内フラップ４又は天板外フラップ５に接触しても天板内フラップ４及び天板外フラップ５が起立した状態を維持することができ、内容物を容易に取り出すことができる。
【００２４】
また、天板内フラップ４及び天板外フラップ５は、隣接する天板内フラップ４又は天板外フラップ５に連結されることなく起立することができ、天板内フラップ４及び天板外フラップ５を起立させるときの作業が容易となる。
【００２５】
また、切起し片９の先端としての幅狭部９ｂが差込孔１０に差し込まれるため、切起し片９が自己の復元力などによって、屈曲させた状態が意図せずに解除されることを防止することができる。
【００２６】
また、楔部９ｃによって、切起し片９の先端としての幅狭部９ｂが差込孔１０から脱落し難くすることができる。
【００２７】
また、切起し片９は、筒状胴部２及び天板内フラップ４又は天板外フラップ５に沿って折り返されて外面又は内面に重なるように屈曲されている。これにより、折り曲げられた切起し片９に内容物などが接触し難くなり、内容物の出し入れが容易になるなど使い勝手が向上される。
【００２８】
なお、本実施形態においては、筒状胴部として四角筒状のものを説明した。しかしながら、本考案の筒状胴部はこれに限らず、フラップで少なくとも一方の開口を閉塞する包装箱であればよい。例えば、断面六角形状の筒状胴部であってもよい。
【００２９】
また、本実施形態では、Ａ式段ボール包装箱を説明したが、本考案のフラップ付包装箱は、Ａ式段ボール包装箱に限らず、Ｂ式段ボール包装箱としてもよい。また、切起し片及び差込孔は、底板内フラップ又は底板外フラップに設けてもよい。また、本考案のフラップ付包装箱は段ボール製に限らず、他の材質であってもよく、例えば、合成樹脂製であってもよい。
【００３０】
また、切起し片９は必ずしも天板内フラップ４又は天板外フラップ５に沿って折り返されて外面又は内面に重なるように屈曲されている必要はなく、切起し片９を円弧状に湾曲させて天板内フラップ４又は天板外フラップ５に対して隙間を存するように折り返して差込孔１０に先端を差し込んでもよい。
【００３１】
また、全ての天板内フラップ４及び天板外フラップ５に切起し片９及び差込孔１０を設けなくてもよく、天板内フラップ及び天板外フラップのうちの少なくとも１つに切起し片９を設けてもよい。
【００３２】
また、切起し片９の基端縁としての折目線８は、開閉軸線としての折目線Ｌ５，Ｌ６に直交していなくてもよく、交わっていればよい。
【符号の説明】
【００３３】
１  フラップ付包装箱
２  筒状胴部
３  天板
４  天板内フラップ
５  天板外フラップ
６  底板
７  切込線
８  折目線
９  切起し片
９ａ  幅広部
９ｂ  幅狭部
９ｃ  楔部
１０  差込孔
１０ａ  切込線
１１  第１側板
１２  第２側板
１３  第３側板
１４  第４側板
１５  接着片
１６  底板内フラップ
１７  底板外フラップ
Ｌ１〜Ｌ８  折目線
【図１】
0003215847.tif 000003
【図２】
0003215847.tif 000004